(57)【特許請求の範囲】
【請求項１】
ホルダー（７）に旋回可能に固定されたガイドローラー（１１）を備える引戸ガイドローラーであって、
前記ガイドローラー（１１）は、前記ホルダー（７）と接続されたレバーシステム（１０）に搭載され、
前記レバーシステムは、バネ負荷されて、および／または、連結により、機能的な最終姿勢に保持され、
前記レバーシステム（１０）は、継手により互いに接続された支持レバー（１２）とガイドレバー（１３）とを備え、
前記ガイドローラー（１１）は、前記継手の領域に設けられていることを特徴とする引戸ガイドローラー。
【請求項２】
請求項１に記載の引戸ガイドローラーにおいて、
前記支持レバー（１２）および前記ガイドレバー（１３）は、両旋回最終姿勢において、互いに対して鈍角を成すように設けられていることを特徴とする引戸ガイドローラー。
【請求項３】
請求項１または２に記載の引戸ガイドローラーにおいて、
前記支持レバー（１２）および／または前記ガイドレバー（１３）は、前記ガイドローラー（１１）とは反対側の端部に、バネ素子（１４）を備えることを特徴とする引戸ガイドローラー。
【請求項４】
請求項３に記載の引戸ガイドローラーにおいて、
前記バネ素子（１４）は、前記ホルダー（７）の停止部（１５）に支持されることを特徴とする引戸ガイドローラー。
【請求項５】
請求項３または４に記載の引戸ガイドローラーにおいて、
前記バネ素子（１４）は、薄肉状の環状突起として、前記支持レバー（１２）および／または前記ガイドレバー（１３）に一体的に形成されていることを特徴とする引戸ガイドローラー。
【請求項６】
請求項１〜５のいずれか１項に記載の引戸ガイドローラーにおいて、
前記支持レバー（１２）および前記ガイドレバー（１３）は、旋回軸（１８）を介して前記ホルダー（７）に固定されており、
前記旋回軸（１８）は、開口部（１９）に、位置変更可能に保持されていることを特徴とする引戸ガイドローラー。
【請求項７】
請求項１〜６のいずれか１項に記載の引戸ガイドローラーにおいて、
前記レバーシステム（１０）は、前記ホルダー（７）に設けられた旋回方向に延びる長穴（１６）へ導入されることを特徴とする引戸ガイドローラー。
【請求項８】
請求項７に記載の引戸ガイドローラーにおいて、
前記レバーシステム（１０）は、前記長穴（１６）へ導入されるガイド素子（１７）を備えることを特徴とする引戸ガイドローラー。
【請求項９】
請求項８に記載の引戸ガイドローラーにおいて、
前記ガイド素子（１７）は、前記支持レバー（１２）と前記ガイドレバー（１３）とを接続する旋回ピンの延長部に形成されていることを特徴とする引戸ガイドローラー。
【請求項１０】
請求項９に記載の引戸ローラーガイドにおいて、
前記ガイド素子（１７）は、前記旋回ピンから間隔を空けて、前記支持レバー（１２）または前記ガイドレバー（１３）に設けられていることを特徴とする引戸ガイドローラー。
【請求項１１】
請求項７〜１０のいずれか１項に記載の引戸ガイドローラーにおいて、
前記長穴（１６）は、前記ホルダー（７）の自由端へ向かって開いていることを特徴とする引戸ガイドローラー。
【請求項１２】
請求項８〜１０のいずれか１項に記載の引戸ガイドローラーにおいて、
前記ガイド素子（１７）は、キノコ型の頭部を有するピンの形状で、前記支持レバー（１２）または前記ガイドレバー（１３）に一体的に形成されていることを特徴とする引戸ガイドローラー。
【請求項１３】
請求項７〜１２のいずれか１項に記載の引戸ガイドローラーにおいて、
前記長穴（１６）の開口側の方向において旋回経路を限定するために、長穴状の動作軌道（２１）がホルダー（７）に設けられており、
前記動作軌道内に、前記支持レバー（１２）または前記ガイドレバー（１３）と接続された停止部（２２）が支持されていることを特徴とする引戸ガイドローラー。
【請求項１４】
請求項１３に記載の引戸ガイドローラーにおいて、
前記停止部（２２）は、前記ホルダー（７）に対向する側に、傾斜面を有し、
前記傾斜面は、前記レバーシステム（１０）の機能的姿勢へ向かう旋回方向へ傾斜していることを特徴とする引戸ガイドローラー。
【請求項１５】
少なくとも２つの引戸（３）と、底部（２）の下側に前記引戸（３）に対向して設けられ、前記ガイドローラー（１１）を誘導するためのトラック（５）を有するガイドレール（４）とを備える収納家具（１）における、前記ホルダー（７）が前記引戸（３）に接続された固定板（８）と支持部（９）とを有する請求項１に記載の引戸ガイドローラー（６）の配置であって、
前記レバーシステム（１０）は、前記支持部（９）に固定され、
前記レバーシステム（１０）に対する前記支持部（９）の接触面は、前記固定板（８）に対して直角から逸れる角度で延びていることを特徴とする配置。
【請求項１６】
請求項１５に記載の配置において、
前記引戸（３）の取り付け中に、前記ガイドレール（４）のウエブ（２０）は、前記レバーシステム（１０）を旋回させるための隣接部を形成することを特徴とする配置。
【発明の詳細な説明】
【技術分野】
【０００１】
本発明は、請求項１の前提構成に係る引戸ローラーガイド、および、請求項１５の前提構成に係る、収納家具における引戸ローラーガイドの配置に関する。
【背景技術】
【０００２】
収納家具を閉じる少なくとも２つの引戸を移動させるために、家具の上部領域および下部領域に、ガイドレールが配置されており、該ガイドレールに、引戸ローラーガイドが噛み合う。なお、これらの２つの引戸のうちの一方は、開いた姿勢において他方を覆う。
【０００３】
家具本体の最も近くに在り、開いた姿勢においては前方扉により覆われる後方扉を取り付けるためには、該後部扉を、下部領域においてガイドレールへ向かって移動させ、持ち上げてローラーガイドを下部ガイドレールに噛み合わせ、次に、上部領域を、上側ガイドレールへ向かって移動方向に対して横向きに誘導し、下側引戸ローラーガイドのローラーを下部ガイドレールの壁によって移動方向に対して横向きに誘導しながら、上側引戸ローラーガイドが対応するガイドレールによって支持されるように上部領域を下げる。
【発明の概要】
【発明が解決しようとする課題】
【０００４】
後方および前方の扉は、閉じた姿勢において、互いに対向する周縁領域で重なり合うので、取り付けは、前方扉を被覆領域の外側において挿入することによってしか、上記のような方法で行えない。この作業では、前方扉は、取り付け時に、家具本体の側壁を超えて横へ突出することになり、窪みにおける家具の設置は、側壁と各壁との距離が短い場合、事実上無理である。
【０００５】
特に、重い引戸の取り付けは困難であり、少なくとも時間と労力とがかかる。
【０００６】
前方扉を直接正面側から取り付けできる構造は知られているが、例えば追加のバネ部品を含むこれらの方法は、その構想からして製造技術的にかなりの取り組みをした場合にしか実現できない。
【０００７】
このことは、製造および取付の両方の最適化に対する継続的な需要と明らかに矛盾している。
【０００８】
したがって、本発明の目的は、上記のような種類の引戸ローラーガイド、および、引戸ローラーガイドの配置を、構造的かつ製造技術的に少ない取り組みで製造でき、引戸の簡単な取り付けが可能になるように、さらに開発することである。
【課題を解決するための手段】
【０００９】
この目的は、請求項１の特徴を有する引戸ローラーガイド、および、請求項１６の特徴を有する引戸ローラーガイドの配置によって達成される。
【００１０】
本発明は、引戸収納家具を非常に狭い窪みにおいても組み立てられるように、直接正面側で引戸を簡単に取り付けられるようにする。
【００１１】
前方扉の下部周縁領域に固定されており、ホルダーが取付角として形成され、ホルダーの一方の面が固定板を形成し、他方の角度の付いた支持部がガイドローラーを有するレバーシステムを担持している引戸ローラーガイドは、引戸が上側ガイドレールに吊り下げられた後、引戸に対する圧力によってガイドローラーが家具本体の対応するガイドレールへ押し込まれ、ガイドローラーにバネ負荷がかかってそこに保持されるように設計されている。このバネ力に加えて、またはバネ力の代わりに、ガイドローラーをガイドレールへ安全に導入するために、レバーシステムは、連結により最終的な状態に保持されてもよい。
【００１２】
レバーシステムは、継手により互いに接続された２つのレバーアーム、すなわち、支持レバーと、ガイドレバーとからなり、継手の領域において、ガイドローラーが支持レバーに接続されている。
【００１３】
機能的姿勢においては互いに対して鈍角を成すように設けられた２つのレバーアームは、端部側において、ホルダーの停止部に弾力的に支持されている。この目的のために、複数のバネ素子が設けられており、これらのバネ素子により、不使用姿勢から使用姿勢へレバーアームを旋回させる際に生じるような角度状態に比べて、伸びた状態への長さの変化が実質的に緩衝される。レバーシステムは、この点に関して、ベルクランク機構として作用する。
【００１４】
レバーアームを担持するホルダーの支持部は、レバーアームの旋回中にガイドローラーが実質的に垂直な動きをするように、固定板に対して角度を設けて配置されている。
【００１５】
レバーアームの旋回経路を限定するために、ホルダーと関連して、少なくとも１つの停止部が設けられていてもよく、この停止部は、例えば、長穴からなり、長穴は、ホルダーに設けられ、旋回動作に応じている。この長穴に、ガイド素子が導入される。このガイド素子は、例えば、レバー上に一体的に形成されたピン、または、レバーに設けられたネジなどの固定素子によって形成され得る。
【００１６】
レバーシステムの取り付けを簡単化するために、長穴は、固定素子を簡単に長穴へ挿入できるように、固定板とは反対側の支持部の自由端へ向かって開口している。なお、固定素子も、レバーに一体的に形成された、キノコ形の頭部が設けられたピンとして形成されていてもよい。
【００１７】
長穴の挿入開口部の方向において必要であり、長穴からガイド素子が滑り出ないようにする、レバーシステムの旋回経路の制限は、好ましくは傾斜路状に形成されてレバーアームの１つに固定された停止部と関連して、支持部に設けられた長円形の制限軌道により行われる。制限軌道および停止部は、レバーシステムの最大限可能な旋回に対応するように寸法が決定されている。
【００１８】
ガイド素子を受け入れる長穴は、２つのレバーアームを互いに接続する継手軸の動きに合わせて広がっていてもよい。なお、ガイド素子は、このとき、旋回軸の延長部を実質的に形成するか、または、レバーアームの一方は、継手軸の外側にある別箇のガイド素子を備え、このガイド素子は、ホルダーに対応して形成された長穴へ導入されている。
【００１９】
レバーアームは、プラスチックで形成され、バネ素子は、薄肉状且つ環状に、該レバーアームに一体的に形成されていることが好ましい。あるいは、または、さらに、別箇のバネ素子が設けられていることも考えられ、この場合、バネ素子の寸法に応じて、扉をガイドレールに保持する所定の力が加えられる。
【００２０】
本発明のさらに有利な形態は、従属請求項において特徴付けられている。
【図面の簡単な説明】
【００２１】
【図１】前方扉が取付位置にある家具を横から見た部分断面図である。
【図２】а）およびｂ）はそれぞれ、取付位置にある本発明の引戸ローラーガイドを図１の方向Ｘから見た図である。
【図３】取り付けられた引戸が機能的姿勢にある図１の部分断面図である
【図４】а）およびｂ）はそれぞれ、取り付けられた姿勢において機能的姿勢にある図２の引戸ローラーガイドを図１の方向Ｘから見た図である。
【図５】а）およびｂ）はそれぞれ、機能的姿勢にある引戸ローラーガイドを図１における方向Ｙから見た図である。
【図６】а）およびｂ）はそれぞれ、取付位置における引戸ローラーガイドを図１における方向Ｙから見た図である。
【図７】機能的姿勢にある引戸ローラーガイドを後ろから見た他の一実施形態を示す図である。
【発明を実施するための形態】
【００２２】
本発明の一実施形態を添付の図を参照して以下に説明する。
【００２３】
図１および図３は、複数の引戸３によって閉鎖可能な家具１の下部領域の一部を示す。この実施形態においては、複数の引戸３のうち１つだけを示す。引戸３は、下部周縁領域における引戸ローラーガイド６と、機能時（図３）には家具１の底部２に固定されたガイドレール４に導入されているガイドローラー１１とを備えている。ガイドローラー１１は、ガイドレール４のトラック５の互いに対向する壁によって横方向に誘導される。
【００２４】
引戸ローラーガイド６は、ホルダー７によって引戸３に固定されている。このホルダー７は、引戸３に接続された固定板８と、支持部９とを有し、支持部９は、固定板８から折り曲げられ、固定板８に対して鈍角を成して底部２の方へ延び、トラック５側にレバーシステム１０を担持している。このレバーシステムは、図２および図４において詳しく見ることができる。
【００２５】
該レバーシステム１０は、継手により互いに接続された２つのレバーアーム、つまり、支持レバー１２およびガイドレバー１３からなり、これらのレバーアームは、取付姿勢（図２）においても、機能的姿勢（図４）においても、互いに対して鈍角の関係で配置されている。
【００２６】
支持レバー１２およびガイドレバー１３には、互いに反対側の端部において、各１つのバネ素子１４が接続されている。このバネ素子は、本実施形態においては、薄肉状の環状突起として、支持レバー１２およびガイドレバー１３に一体的に形成されている。各バネ素子１４は、支持部９に接続された停止部１５に支持されている。
【００２７】
一方の最終姿勢から他方の最終姿勢へのレバーシステム１０の旋回動作中に、伸びた状態へレバーシステム１０の長さが変化することにより、バネ素子１４は変形し、これにより、バネ素子は、バネとして突っ張り、最終的な状態に到達した後その位置に支持レバー１２とガイドレバー１３とを保持する。
【００２８】
図１は、引戸３の取付位置を示す。ガイドローラー１１は、トラック５の機能的範囲の外側に置かれている、すなわち、引戸３は、正面側から収納家具１の本体へ向かって誘導されることを示している。この位置におけるレバーアームの姿勢を、図２に示す。
【００２９】
引戸３をさらに押すと、ガイドレール４のウエブ２０は、ガイドローラー１１に対する隣接部として使用され、レバーアームは、ガイドローラー１１がトラック５へ入るまでバネ素子１４の力に対抗して旋回される。
【００３０】
特に図５から図７において示すように、支持レバー１２およびガイドレバー１３は、本実施形態ではピンヘッドを有するピンとして形成された旋回軸１８を介して、支持部９に旋回可能に保持されている。ピンを取り付けるために、支持部９には、鍵穴状の開口部１９が設けられており、この開口部により、旋回軸１８を支持部９に簡単に取り付けられるようになる。
【００３１】
両旋回方向における経路限定として、図２а、図４а、図５а、および図６аに示す実施形態、および図７においては、支持部９に、端部が閉じた長穴１６が設けられている。該長穴１６には、支持レバー１２またはガイドレバー１３のガイド素子１７が導入されている。
【００３２】
図２ｂ、図４ｂ、図５ｂ、および図６ｂに示す変形例においては、長穴１６は、固定板８とは反対側の支持部９の自由端へ向かって開いており、ガイド素子１７は、キノコ形の頭部を有するピンとして支持レバー１２に一体的に設けられており、該ピンは、支持レバー１２の反対側において、長穴１６の周縁領域で支持部９によって支持される。
【００３３】
レバーシステム１０の機能的位置への旋回動作は、長穴１６によって限定され、その一方で、長穴状の制限軌道２１が、逆旋回方向において支持部９に設けられており、レバーシステム１０の旋回した非機能的姿勢において、ガイドレバー１３の傾斜路状の停止部２２が、制限軌道２１に支持される。
【００３４】
取り付けプロセスを簡単化するために、停止部２２の傾斜面は、停止部２２が支持部９の自由端を通過後にガイドレバー１３が有する復元力により固定軌道２１へ入るように、固定板８の方向へ傾斜している。
【００３５】
図７に記載の実施形態において、ガイド素子１７は、継手軸として支持レバー１２とガイドレバー１３とを継手により互いに接続する旋回ピンの延長部として形成されている。この場合、長穴１６は、旋回方向において真っ直ぐに形成されている。
【００３６】
これに対し、図５および図６に示す実施形態においては、ガイド素子１７は、レバーシステム１０に対して偏心的に、具体的には、支持レバー１２に設けられている。この場合、長穴１６は、レバーシステム１０の旋回の際のガイド素子１７の動作軌道に応じて形成されており、関連する旋回軸１８へ向かって凸状に湾曲していることがわかる。
【符号の説明】
【００３７】
１    収納家具
２    底部
３    引戸
４    ガイドレール
５    トラック
６    引戸ローラーガイド
７    ホルダー
８    固定板
９    支持部
１０    レバーシステム
１１    ガイドローラー
１２    支持レバー
１３    ガイドレバー
１４    バネ素子
１５    停止部
１６    長穴
１７    ガイド素子
１８    旋回軸
１９    開口部
２０    ウエブ
２１    制限軌道
２２    停止部
【図１】
0005860884.tif 000002
【図２】
0005860884.tif 000003
【図３】
0005860884.tif 000004
【図４】
0005860884.tif 000005
【図５】
0005860884.tif 000006
【図６】
0005860884.tif 000007
【図７】
0005860884.tif 000008